(57)【要約】【課題】  画面遷移制御モジュール側でのタイマー管理により警告画面へ自動復帰するように構成した車両用情報表示システムにおいて、設定変更入力中における警告画面への復帰処理を、モジュール構成の複雑化を招くことなく適正化する。【解決手段】  画面遷移制御モジュールは、サブメニュー画面を表示した状態で表示指令モジュールから警告指令を受けると警告画面に遷移する。その状態で操作入力部ＳＷを操作することにより、警告画面から通常画面ないし変更入力画面に遷移させることができる。このとき、第一タイマーは警告復帰インターバルｔ１の計時を開始し、満了すると警告画面に復帰する。しかし、変更入力画面では、全ての変更入力が確定するまで第一タイマーがリセット継続し、変更入力が完了するまでは画面が変化しない。そして、最後の設定パラメータの入力確定が確定すると変更入力画面を自動脱出し、直前の通常画面に戻る。【選択図】  図９
2010013060.tif 000002
【特許請求の範囲】
【請求項１】
車室内にてユーザーから視認可能な位置に配置された表示ディスプレイと、該表示ディスプレイの表示切替ないし前記設定変更のためのユーザー入力を受け付ける操作入力部と、前記操作入力部の入力状態に基づいて前記表示ディスプレイの表示出力制御を行なう表示出力制御手段とを備え、該表示出力制御手段が、
前記操作入力部の入力状態に基づいて、前記表示ディスプレイへの画面遷移指令及び前記設定変更処理を行なう表示指令モジュールと、
前記画面遷移指令を受けて前記表示ディスプレイの画面表示状態を、通常時の情報を表示する通常画面と、前記表示ディスプレイの前記設定変更のための前記操作入力部へのユーザー入力を受け付ける変更入力画面との間で切替制御する通常画面遷移制御手段と、警告表示指令を受けて前記表示ディスプレイの画面表示状態を警告画面に遷移させる警告画面遷移制御手段と、前記表示指令モジュールからの警告表示解除指令を受けて計時起動する第一タイマー手段と、前記警告画面への遷移を前記第一タイマー手段が予め定められた警告復帰インターバルを計時満了するまでは禁止し計時満了後は許容する警告遷移制御手段と、を有した画面遷移制御モジュールとを有し、
前記表示指令モジュールは、前記通常画面の表示中において前記操作入力部が予め定められた変更入力画面遷移指令操作状態となった場合に、前記画面遷移制御モジュールに前記変更入力画面への画面遷移指令を出力する変更入力画面遷移指令手段と、前記変更入力画面における前記ユーザー入力が完了するに伴い、前記画面遷移制御モジュールに前記変更入力画面から脱出する画面遷移指令を出力する変更入力画面脱出指令手段と、前記警告画面の表示中において前記操作入力部が予め定められた警告解除指令操作状態となった場合に、前記画面遷移制御モジュールに前記警告表示解除指令を出力する警告表示解除指令手段と、前記変更入力画面の表示中は、前記表示指令モジュールに対し前記第一タイマー手段の計時動作を制限する指令を行なう第一タイマー計時制限指令手段と、を有してなることを特徴とする車両用情報表示システム。
【請求項２】
前記表示指令モジュールの前記変更入力画面脱出指令手段は、前記変更入力画面から脱出する画面遷移指令として、前記変更入力画面に移行する直前の通常画面に遷移する指令を出力する請求項１記載の車両用情報表示システム。
【請求項３】
前記第一タイマー計時制限指令手段は、前記表示指令モジュールに対し前記第一タイマー手段による前記警告復帰インターバルの計時満了が阻止されるように動作指令するものである請求項１又は請求項２に記載の車両用情報表示システム。
【請求項４】
前記第一タイマー計時制限指令手段は、前記変更入力画面の表示中において前記第一タイマー手段に対し継続的にリセット指令を出力するものである請求項３記載の車両用情報表示システム。
【請求項５】
前記表示指令モジュールは、前記変更入力画面の表示中において前記操作入力部が、前記設定変更の対象となる予め定められた設定パラメータに対する変更入力操作状態となった場合に、該設定パラメータの変更入力処理を行なう設定パラメータ変更手段と、前記変更入力操作の途絶時間を計測する第二タイマー手段と、前記第二タイマー手段が計測する前記途絶時間が予め定められた入力確定インターバルに到達するに伴い前記設定パラメータの確定処理を行なう設定パラメータ確定手段とを備え、
前記第一タイマー計時制限指令手段は、前記変更入力画面において設定変更可能な全ての設定パラメータについて、前記第二タイマー手段による前記入力確定インターバルの計時が満了するまでの間、前記第一タイマー手段の計時動作を制限する指令を継続する請求項１ないし請求項４のいずれか１項に記載の車両用情報表示システム。
【請求項６】
前記変更入力画面において、前記設定変更の対象となる前記設定パラメータが複数定められ、前記変更入力操作の途絶時間が前記入力確定インターバルに到達するに伴い、対象となる設定パラメータを切り替えつつ順次前記変更入力処理が行なわれるようになっており、前記変更入力画面脱出指令手段は、全ての前記設定パラメータについて前記入力確定インターバルが経過するに伴い、前記画面遷移制御モジュールに前記通常画面への画面遷移指令を出力するものであり、
前記警告復帰インターバルは、前記変更入力画面における複数の前記設定パラメータに係る前記入力確定インターバルの合計値よりも短く設定されている請求項１ないし請求項５のいずれか１項に記載の車両用情報表示システム。
【請求項７】
前記変更入力画面は、時及び分を複数の前記設定パラメータとする時刻合わせ画面、又は年、月、日を複数の前記設定パラメータとする日付合わせ画面である請求項６記載の車両用情報表示システム。
【請求項８】
前記操作入力部が単一のプッシュ式操作部にて構成されている請求項６又は請求項７に記載の車両用情報表示システム。
【請求項９】
前記通常画面は、各々異なる車両動作情報を表示する複数の車両動作情報表示画面と、前記変更入力画面への切替受付が行なわれる変更切替受付画面との間で順次切替可能とされ、
前記表示指令モジュールは、前記操作入力部に対し予め定められた通常画面切替操作が１回行なわれる毎に前記画面遷移制御モジュールに対し、前記複数の車両動作情報表示画面と前記変更入力画面とからなる前記通常画面を、固定された順序にて逐次切替え遷移させる指令を行なう通常画面切替遷移指令手段を有し、
前記変更入力画面遷移指令手段は、前記通常画面が前記変更切替受付画面に遷移した状態で、前記操作入力部に対し前記通常画面切替操作とは異なる変更入力画面移行操作が行なわれることにより、前記画面遷移制御モジュールに前記変更入力画面への画面遷移指令を出力する請求項１ないし請求項８のいずれか１項に記載の車両用情報表示システム。
【発明の詳細な説明】
【技術分野】
【０００１】
この発明は、車両用情報表示システムに関する。
【背景技術】
【０００２】
【特許文献１】特許第３１０４５８３号公報
【０００３】
特許文献１には、乗員が切換スイッチを操作することにより、時刻や積算走行距離等の通常表示項目を順次表示する一方、冷却水温の異常上昇や制動装置の不具合などの、異常発生時には、通常表示項目に代えて警告表示項目を自動的に表示する多重表示ディスプレイが開示されている。従来のこうした多重表示ディスプレイでは、警告表示を行っている間は、警告要因が解消されるまでは通常表示に復帰できない構成になっていたので、時刻や積算距離等、通常表示項目に係る情報を把握できなくなる不便があった。この問題を解消するために、特許文献１の多重表示ディスプレイでは、警告表示中であっても乗員のスイッチ操作により通常表示に切り替えができ、かつ、該操作により通常表示に切り替わってから一定時間が経過後に、警告要因が依然解消されていない場合には、警告表示に自動復帰するようにした構成が提案されている。
【発明の開示】
【発明が解決しようとする課題】
【０００４】
ところで、上記のような多重表示ディスプレイにおいては、スイッチ操作を流用して、現在時刻や日付等の表示設定パラメータの変更入力が可能に構成されている場合がある。具体的には、通常表示項目の画面（以下、通常画面ともいう）の一つを入口として特定のスイッチ操作を行なった場合に変更入力画面に移行し、該変更入力画面上でスイッチ操作により表示設定パラメータの変更入力が可能となるように構成することができる。このとき、警告表示項目の画面（以下、警告画面ともいう）切替要求が競合すると次のような問題を生ずる。すなわち、変更入力画面の表示中に警告画面への切替指令を受けた場合、直ちに警告画面へ切り替わるように構成すると、入力が完了しないうちに警告画面へ切り替わってしまい、やり直しを余儀なくされる不便を生ずる。
【０００５】
ここで、スイッチ操作状態の把握と画面遷移とが一元的なモジュールからなるソフトウェアにより制御されているのであれば、現在の表示状態が変更入力画面であるかどうかを確認し、変更入力画面であった場合に警告画面への切替えを禁止するようにソフトウェアを構成すれば、こうした問題は一見問題なく簡単に解決できるように見える。しかし、上記多重表示ディスプレイのような場合、現在のどの画面が表示されているかに応じて、スイッチ操作状態に基づく画面遷移の制御内容が全て異なるので、開発工程の簡略化を図るために、実際には、現在画面とスイッチ状態とに応じた遷移先画面の決定処理と、変更入力画面でのスイッチ状態に応じた変更入力処理とに専念する表示指令モジュールと、該表示指令モジュールからの画面遷移指令を受けて画面遷移制御に専念する画面遷移制御モジュールとに分割してソフトウェアを構成するのが主流である。
【０００６】
上記の構成では、スイッチ操作状態により警告画面から通常画面への遷移は、スイッチ操作状態を把握する表示指令モジュールが画面遷移制御モジュールへ画面遷移指令を行なう形で実行される。他方、通常画面から警告画面への自動復帰遷移にはスイッチ操作が関与しないから、警告画面へ遷移してからの経過時間を画面遷移制御モジュール側でタイマー計測することで、一定の警告復帰インターバルが計時されたかどうかにより画面遷移制御モジュールが単独で制御を実行できる。そして、そのように画面遷移制御モジュールを構成すれば、警告復帰のための複雑な機能分岐を表示指令モジュールに追加する必要がなくなるので、プログラミングの大幅な簡略化を図ることができる。逆にいえば、現在の表示状態が変更入力画面であるかどうかに応じて警告復帰を制限するための機能を表示指令モジュールに追加してしまったのでは、プログラミングの簡略化を図るためにソフトウェアを敢えてモジュールに分割するメリットがほとんど失われてしまうことにつながるのである。
【０００７】
こうした技術背景を前提に、特許文献１の構成を改めて検討するに、警告画面へ切り替わってからスイッチ操作により通常画面へ強制的に遷移させた場合、そこからスイッチ操作によりさらに変更入力画面に遷移させて変更入力を行なおうとすると、次のような問題が発生することになる。すなわち、画面遷移制御モジュールは、表示指令モジュール側の変更入力に係る制御実行状態とは無関係に、通常画面への遷移後に起動されるタイマーを参照して警告復帰インターバルが経過したかどうかのみに基づき、警告画面へ自動復帰させる制御を勝手に行なってしまうから、警告復帰インターバルが短く設定されすぎていると、表示指令モジュール側において時間切れにより変更入力処理を完了できない場合がある。他方、この変更入力に要する最長時間を考慮して、画面遷移制御モジュールのタイマーにセットする警告復帰インターバルを長く設定しすぎると、変更入力以外の目的や誤操作等により警告画面を通常画面に切り替えた場合、警告画面へ復帰に相当の待ち時間を生ずることにつながる。
【０００８】
本発明の課題は、表示出力制御手段が表示指令モジュールと画面遷移制御モジュールとに分割して構成され、ユーザー操作により警告画面を通常画面に強制切り替えでき、かつ、画面遷移制御モジュール側でのタイマー管理により警告画面へ自動復帰するように構成した車両用情報表示システムにおいて、設定変更入力中における警告画面への復帰処理を、モジュール構成の複雑化を招くことなく適正化する点にある。
【課題を解決するための手段及び発明の効果】
【０００９】
上記課題を解決するために、本発明の車両用情報表示システムは、
車室内にてユーザーから視認可能な位置に配置された表示ディスプレイと、該表示ディスプレイの表示切替ないし設定変更のための操作を受け付ける操作入力部と、操作入力部の入力状態に基づいて表示ディスプレイの表示出力制御を行なう表示出力制御手段とを備え、該表示出力制御手段が、
操作入力部の入力状態に基づいて、表示ディスプレイへの画面遷移指令及び設定変更処理を行なう表示指令モジュールと、
画面遷移指令を受けて表示ディスプレイの画面表示状態を、通常時の情報を表示する通常画面と、表示ディスプレイの設定変更のための操作入力部へのユーザー入力を受け付ける変更入力画面との間で切替制御する通常画面遷移制御手段と、警告表示指令を受けて表示ディスプレイの画面表示状態を警告画面に遷移させる警告画面遷移制御手段と、表示指令モジュールからの警告表示解除指令を受けて計時起動する第一タイマー手段と、警告画面への遷移を第一タイマー手段が予め定められた警告復帰インターバルを計時満了するまでは禁止し計時満了後は許容する警告遷移制御手段と、を有した画面遷移制御モジュールとを有し、
表示指令モジュールは、通常画面の表示中において操作入力部が予め定められた変更入力画面遷移指令操作状態となった場合に、画面遷移制御モジュールに変更入力画面への画面遷移指令を出力する変更入力画面遷移指令手段と、変更入力画面におけるユーザー入力が完了するに伴い、画面遷移制御モジュールに変更入力画面から脱出する画面遷移指令を出力する変更入力画面脱出指令手段と、警告画面の表示中において操作入力部が予め定められた警告解除指令操作状態となった場合に、画面遷移制御モジュールに警告表示解除指令を出力する警告表示解除指令手段と、変更入力画面の表示中は、表示指令モジュールに対し第一タイマー手段の計時動作を制限する指令を行なう第一タイマー計時制限指令手段と、を有してなることを特徴とする。
【００１０】
上記本発明の車両用情報表示システムの構成では、表示出力制御手段を、操作入力部の入力状態に基づいて表示ディスプレイへの画面遷移指令及び設定変更処理を行なう表示指令モジュールと、その表示指令モジュールからの画面遷移指令を受けて表示ディスプレイの画面表示状態を通常画面と更入力画面との間で遷移させ、また、警告表示指令を受けた場合に警告画面に遷移させるとともに、表示指令モジュール側からの警告表示解除指令により通常画面に遷移した場合、第一タイマー手段が計時する警告復帰インターバルが満了するまでは警告画面への復帰を禁止し、満了後は許容する画面遷移制御モジュールとに分割して構成する。そして、表示指令モジュールに、変更入力画面の表示中は表示指令モジュールに対し第一タイマー手段の計時動作を制限する指令を行なう第一タイマー計時制限指令手段を設ける。すなわち、警告画面への復帰処理の複雑なルーチンを表示指令モジュールに追加するのではなく、現在画面が変更入力画面かどうかは把握できる点を利用して、画面遷移制御モジュールに対し第一タイマー手段の計時動作を制限する指令を出すように該表示指令モジュールを構成することで、第一タイマー手段を参照した画面遷移制御モジュールによる簡便な警告画面復帰処理の骨組みを崩すことなく、変更入力画面の表示（ひいては変更入力の完了）を優先した警告画面復帰処理の適正化を図ることができる。
【００１１】
表示ディスプレイの画面表示状態を警告画面に遷移させる警告表示指令は、例えば、車両に設けられた異常監視装置を出力元とするものであり、画面遷移の割り込み指令として画面遷移制御モジュールに直接入力することができる。また、表示指令モジュールと画面遷移制御モジュールとに分配入力することも可能である。また、画面遷移制御モジュールは、通常画面遷移制御手段ないし警告画面遷移制御手段による画面遷移の実行結果を表示指令モジュールに通知するように構成でき、これにより表示指令モジュールは現在の画面表示状態をより的確に把握することができる。
【００１２】
表示指令モジュールの変更入力画面脱出指令手段は、変更入力画面から脱出する画面遷移指令として、変更入力画面に移行する直前の通常画面に遷移する指令を出力するように構成しておくと、例えば当該直前の通常画面から別の通常画面や変更入力画面に移行する選択操作を行ないたい場合に便利である。この構成では、表示指令モジュールが変更入力画面から脱出する画面遷移指令を出力した際に、警告復帰インターバルを計時中であって警告表示指令が継続中あれば、画面遷移制御モジュールは例えば次のような動作となる。すなわち、警告復帰インターバルが満了するまでは警告画面への遷移が禁止され、その後は警告画面への遷移が許容されるので、一旦上記直前の通常画面に遷移するとともに、上記画面遷移指令の出力時における警告復帰インターバルの残時間だけ当該通常画面の表示が継続され、その後、警告復帰インターバルが満了するに伴い警告画面へ遷移する流れとなる。
【００１３】
第一タイマー計時制限指令手段からの指令により、第一タイマー手段の計時動作を制限するための具体的な方式としては、例えば、タイマークロックのカウントを間引いて計時を遅らせる方法や、警告復帰インターバルの設定値を一時的に延長する方式なども可能である。しかし、表示指令モジュールに対し第一タイマー手段による警告復帰インターバルの計時満了が阻止されるように動作指令するものとして第一タイマー計時制限指令手段を構成することが、処理の簡略化と警告画面復帰を確実に制限する上で望ましい。この場合、警告復帰インターバルに対する第一タイマーの残計時時間を定期的に加算処理することにより、警告復帰インターバルが満了しないように継続的に残計時時間を引き伸ばすような方式を採用することも可能であるが、最も簡便で確実な方式は、第一タイマー計時制限指令手段を、変更入力画面の表示中において第一タイマー手段に対し継続的にリセット指令を出力するように構成することである。この場合、警告復帰インターバルが満了しない範囲での第一タイマー手段による計時動作は許容しつつ、間欠的にリセットをかける方式であっても、変更入力画面の表示中において第一タイマー手段を常時リセット状態に維持させ続ける方式であってもいずれでもよい。
【００１４】
なお、警告復帰インターバルは、変更入力を滞りなく完了させることが目的で確保される期間であり、上記のごとき警告表示指令の継続中において変更入力が一旦完了してしまえば、通常画面への復帰後に該警告復帰インターバルの残時間の経過を待つことなく、直ちに警告画面に遷移できるように構成することも可能である。この場合、表示指令モジュールから画面遷移制御モジュールに対し、変更入力画面から脱出する画面遷移指令として、第一タイマー手段に対し、警告復帰インターバルの計時を即時に満了させる指令（例えば、タイマーカウンタメモリに警告復帰インターバルの満了を示す数値を直ちにセットする指令）を出力することで、第一タイマー手段の計時時間に仮に上記のような残時間があっても、直ちに警告画面に遷移することが可能となる。
【００１５】
次に、表示指令モジュールは、変更入力画面の表示中において操作入力部が、設定変更の対象となる予め定められた設定パラメータに対する変更入力操作状態となった場合に、該設定パラメータの変更入力処理を行なう設定パラメータ変更手段と、変更入力操作の途絶時間を計測する第二タイマー手段と、第二タイマー手段が計測する途絶時間が予め定められた入力確定インターバルに到達するに伴い設定パラメータの確定処理を行なう設定パラメータ確定手段とを備えるものとして構成できる。この構成であると、操作途絶により入力確定を実施できるので、入力確定のための別の操作部を設ける必要がなくなる。この場合、第一タイマー計時制限指令手段は、変更入力画面において設定変更可能な全ての設定パラメータについて、第二タイマー手段による入力確定インターバルの計時が満了するまでの間、第一タイマー手段の計時動作を制限する指令を継続するように構成すれば、変更入力画面上での全ての設定パラメータの確定が完了するまでは警告画面への遷移を確実に阻止することができる。
【００１６】
また、変更入力画面において、設定変更の対象となる設定パラメータが複数定められ、変更入力操作の途絶時間が入力確定インターバルに到達するに伴い、対象となる設定パラメータを切り替えつつ順次変更入力処理が行なわれるようになっている場合は、変更入力画面脱出指令手段は、全ての設定パラメータについて入力確定インターバルが経過するに伴い、画面遷移制御モジュールに通常画面への画面遷移指令を出力するように構成できる。ここで、警告画面復帰のための画面遷移制御モジュール側での第一タイマー手段による計時処理を、従来のごとく、特に表示指令モジュール側からの指令により制限できない構成とした場合、複数の設定パラメータの変更確定には、最低でも各設定パラメータに係る入力確定インターバルを合計した時間が必要となるから、警告復帰インターバルもこれに合わせて設定する形となる。その結果、変更入力以外の目的や誤操作等により警告画面を通常画面に切り替えた場合、次に警告画面へ復帰するまで、入力確定インターバルを設定パラメータ数で乗じた期間に相当する長い待ち時間が生ずることとなる。しかし、本発明では、変更入力画面の表示中は、第一タイマー手段による計時処理が表示指令モジュール側からの指令により制限されるので、警告復帰インターバルの設定長さとは無関係に変更入力のための時間を十分に確保することができる。そこで、警告復帰インターバルを、変更入力画面における複数の設定パラメータに係る入力確定インターバルの合計値よりも短く設定しておくと、上記のように変更入力以外の目的や誤操作等により警告画面を通常画面に切り替えた場合も、比較的短い警告復帰インターバル設定により、速やかに警告画面へ復帰することが可能となる。
【００１７】
なお、警告復帰インターバルは、操作入力により警告画面から通常画面に切り替えたとき、通常画面の情報表示内容をユーザーが把握する上で人間工学的に必要十分な期間として確保されているのがよく、例えば３秒〜１０秒（一例として６秒）の範囲で任意に設定でき、必要に応じてカスタマイズできるようにしてもよい。また、入力確定インターバルも、操作入力が途絶えてから設定パラメータの現在の入力値を把握し、確定してよいかどうかの判断をユーザーが行なう上で人間工学的に過不足のない設定となっていることが望ましく、例えば３秒〜１０秒（一例として５秒）の範囲で任意に設定できる（これも、必要に応じてカスタマイズできるように構成できる）。
【００１８】
変更入力画面は、時及び分を複数の設定パラメータとする時刻合わせ画面、又は年、月、日を複数の設定パラメータとする日付合わせ画面とすることができる。プッシュ式操作部にて操作入力部を構成する場合、時刻合わせであれば、操作入力部への押圧操作があれば、まず「時」の桁から数値をインクリメントし（例えば、断続的な押圧であれば数値を押圧１回につき１ずつインクリメントさせ、連続的な押圧であれば押圧継続中は数値を連続的にインクリメントさせる）、所望の数値となったところで押圧解除して上記入力確定インターバルが経過すれば「時」の桁が確定されるとともに「分」の桁へ自動移行し、その入力／確定を同様に実施することができる。日付合わせ画面であれば、例えば「年」→「月」→「日」の順で同様の入力／確定方式が採用できる。いずれの場合も、操作入力部への押圧及び押圧解除の組み合せだけで各桁の入力／確定及び次の桁への移行及び入力完了を全て定義できるので、操作入力部を、最も単純な単一のプッシュ式操作部にて構成することが可能となる。この場合、操作入力部を、時刻合わせと日付合わせとで兼用することがもちろん可能である。
【００１９】
次に、通常画面は、各々異なる車両動作情報を表示する複数の車両動作情報表示画面と、変更入力画面への切替受付が行なわれる変更切替受付画面との間で順次切替可能に構成できる。表示指令モジュールは、操作入力部に対し予め定められた通常画面切替操作が１回行なわれる毎に画面遷移制御モジュールに対し、複数の車両動作情報表示画面と変更入力画面とからなる通常画面を、固定された順序にて逐次切替え遷移させる指令を行なう通常画面切替遷移指令手段を有するものとして構成できる。変更入力画面遷移指令手段は、通常画面が変更切替受付画面に遷移した状態で、操作入力部に対し通常画面切替操作とは異なる変更入力画面移行操作が行なわれることにより、画面遷移制御モジュールに変更入力画面への画面遷移指令を出力するように構成できる。これにより、通常画面を種々の情報表示画面の間で簡単に切り替えることができ、また、変更切替受付画面が出現した状態で操作入力部へ特定の変更入力画面移行操作を加えることで変更入力画面へも簡単に移行できる。
【発明を実施するための最良の形態】
【００２０】
以下、本発明の実施の形態を、図面を参照して説明する。
図１は、本発明の車両用情報表示システムを、自動車用のメーターに組み込んだ例を示す正面図である。メーター１は、指針式の速度計３とタコメータ４とを計器版２上にレイアウトしたものであり、速度計３とタコメータ４との間のスペースに、車両用情報表示システムの要部をなす表示ディスプレイ２１０を配置している。表示ディスプレイ２１０は、例えば図３に示すように、液晶ディスプレイ１０８とバックライトモジュール３０９とからなるものを採用できるが、ＥＬディスプレイやプラズマディスプレイなどの自発光型ディスプレイを用いてもよい。そして、表示ディスプレイ２１０に隣接する位置には、ユーザーによる押圧操作が可能な操作入力部ＳＷが設けられている。
【００２１】
図２に示すように、表示ディスプレイ２１０は、特許文献１と同様に、自動車の走行状態や、搭載された種々の装置の動作状態に係る情報を通常時の情報として表示する通常画面と、何らかの異常が発生した場合にこれを報知する警告情報を表示する警告画面との間で切り替わるようになっている。
【００２２】
本実施形態では、基本層をなす通常画面として、平均燃費の表示画面、瞬間燃費の表示画面及び変更／調整画面（変更切替受付画面）が、順次切替え可能に表示される（これらに限定されるものではない）。また、警告画面としては、発生した異常の種別に応じて、図２に示す種々の情報から対応するものが選択して表示される（図２では、「ブレーキ液不足」、「充電系異常」、「パーキングブレーキ解除」（パーキングブレーキ解除忘れ時に表示）、「給油してください」（燃料残量が一定以下に少なくなった場合に表示）、「助手席半ドア」などを例示しているが、これらに限定されるものではない）。
【００２３】
図３は、メーター１と表示ディスプレイ２１０とを統括的に作動制御するメータシステム２００の電気的構成を示すブロック図である。メーター１の制御主体をなすのは、前述の速度計３及びタコメータ４の動作を含めたメーター主要制御と、表示ディスプレイ２１０への情報表示とを司るメーターＥＣＵであり、その要部は、ＣＰＵ２８１、ＲＯＭ２８２、ＲＡＭ２８３及び入出力部２８０が内部バスにて接続されたマイコンからなる。ＲＯＭ２８２には、メーター制御ソフトウェアと、本発明の車両用情報表示システムにおける表示出力制御手段の主体をなす表示制御ソフトウェアが格納され、ＲＡＭ２８３を処理領域としてＣＰＵ２８１により実行される。入出力部２８０には、前述の表示ディスプレイ２１０が、描画ＬＳＩ及びグラフィックメモリ１０７を介して接続されている。また、図１の速度計３及びタコメータ４の指針を駆動するためのモータ３２，４２が、それぞれモータドライバ３１，４１を介して接続されている。また、操作入力部ＳＷは、図１に示すように、押しボタンスイッチなどにより単一のプッシュ式操作部として構成され、入出力部２８０に接続されている。
【００２４】
メーターＥＣＵ２００は、ボデー系ＥＣＵ３００やエンジンＥＣＵ（図示せず）等の他のＥＣＵとシリアル通信バス１２７により、各々通信インターフェース１２６を介してネットワーク接続されている（符号１２６ｆは、送受信のデータを一次格納するための通信バッファメモリである）。ボデー系ＥＣＵ３００には、メーター１や表示ディスプレイ２１０に出力させるべき動作状態情報を取得するためのセンサ(あるいはスイッチ）群が接続されている。具体的には車速センサ３０１、エンジン回転数センサ３０２、冷却水の水温センサ３０３、燃料残量センサ３０４、油圧センサ３０５、ギアポジション検出部３０６、バッテリー電圧モニタ３０７などであるが、これ以外のものが含まれていてもよい。
【００２５】
また、ボデー系ＥＣＵ３００では、水温モニタ結果、残燃料低下、シートベルト非装着、ドアアンロック、半ドアあるいはオイル異常などの情報を、自動車上の各所のセンサあるいはスイッチ群から取得し、警告の必要な状態にあるかどうかを判定する（あるいは、別のＥＣＵで既に得られている判定結果を通信により取得する）。そして、警告の必要な状態にある場合は、警告種別と対応付けた形で警告表示指令をメーターＥＣＵに通信により送信する。
【００２６】
メーターＥＣＵ２００は上記のセンサ群３０１〜３０７等から動作状態情報を、通信バス１２７を介して取得し、メーター出力情報を作成する。具体的には、車速センサ３０１の検出値に基づき速度計指針モータ３２を作動させ、対応する速度位置に速度計３（図１）の指針を移動させる。また、エンジン回転数センサ３０２の検出値に基づきタコメータ指針モータ３２を作動させ、対応する回転数位置にタコメータ４（図１）の指針を移動させる。また、表示ディスプレイ２１０への表示情報は、例えばボデー系ＥＣＵ３００やエンジンＥＣＵ側で作成されたもの（例えば前述の平均燃費情報や瞬間燃費情報）を、シリアル通信バス１２７を介して取得し、表示ディスプレイ２１０に描画・表示する。
【００２７】
図４は、表示ディスプレイ２１０における画面切替の流れを示すものである。後述の警告表示指令が存在しない場合の流れは以下の通りである。すなわち、通常時は図２に示す３つの通常画面（基本層）のいずれかを表示するようになっており、操作入力部ＳＷを１回短押し（通常画面切替操作、押圧維持時間：例えば５秒未満）する毎に、瞬間燃費の表示画面（Ｓ１）→平均燃費の表示画面（Ｓ２）→変更／調整画面（変更切替受付画面：Ｓ３）の、固定された順序にて逐次切替え遷移するようになっている。また、変更／調整画面の表示中に操作入力部ＳＷを長押し（押圧維持時間：例えば５秒以上）すると、複数の変更入力画面から所望のものを選択するためのサブメニュー画面（図５のＳ３２：通常画面を構成し、基本層の下に位置する）に遷移する。サブメニュー画面内では、操作入力部ＳＷを１回短押しする毎に選択中の変更入力メニューを示すカーソルが順次移動する。
【００２８】
なお、サブメニュー画面は、図５に示すように複数のサブメニュー層を構成し（Ｓ３１，Ｓ３２）、所望のメニューを選択して操作入力部ＳＷを長押しする毎に１層下の画面に遷移し、「戻る」を選択して操作入力部ＳＷを長押しする毎に上の層に戻るようになっている。具体的には、変更／調整画面（変更切替受付画面：Ｓ３）にて操作入力部ＳＷを長押しすると、「表示言語」、「表示単位」（例えば、燃費の場合はキロメートルとマイルなど）、「日付／時刻」及び「戻る」の４つのメニューを含む第一のサブメニュー画面Ｓ３１に移行し、そこで「日付／時刻」を選択して再び操作入力部ＳＷを長押しすると、「時刻合わせ」、「日付合わせ」及び「戻る」（Ｓ８）の３つのメニューからなる第二のサブメニュー画面Ｓ３２移行する。そして、そこで、「時刻合わせ」か「日付合わせ」のいずれかを選択してもう一度操作入力部ＳＷを長押しすることにより、時刻合わせないし日付合わせの変更入力画面Ｓ４１（図５では、時刻合わせの場合を示している）に入ることができるようになっている。なお、図４では、説明の便宜上、時刻合わせ（Ｓ４）、日付合わせ（Ｓ６）及び「戻る」（Ｓ８）からなる１層のサブメニュー画面（図５：Ｓ３２）のみを示している。また、当然のことであるが、複数層のメニュー構造が採用されていない場合はサブメニュー画面を省略することができる。
【００２９】
図４において、変更入力メニューとして時刻合わせ（Ｓ４）を選択中に操作入力部ＳＷを長押し（変更入力画面移行操作）すると、時刻設定のための変更入力画面に遷移し（Ｓ５）、操作入力部ＳＷの押圧操作により、時刻情報をなす「時」及び「分」の各桁（設定パラメータ）の変更設定入力が可能となる。そして、各桁の入力が完了して、操作入力部ＳＷへの操作が一定の入力確定インターバル（ｔ２：例えば５秒だけ途絶すると入力内容が確定されるととともに変更入力画面を脱出し、サブメニュー画面に復帰する。また、変更入力メニューとして日付合わせ（Ｓ６）を選択中に操作入力部ＳＷを長押し（変更入力画面移行操作）すると、時刻設定のための変更入力画面に遷移し（Ｓ７）、操作入力部ＳＷの押圧操作により、日付情報をなす「年」、「月」及び「日」の各桁（設定パラメータ）の変更設定入力が可能となる。そして、各桁の入力が完了して、操作入力部ＳＷへの操作が、上記の入力確定インターバルｔ２だけ途絶すると入力内容が確定されるととともに変更入力画面を脱出し、サブメニュー画面に復帰する。
【００３０】
なお、時刻や日付は、図１に示すように、表示ディスプレイ２１０の一部領域２１０Ｃを利用した直接的な表示情報として利用できるが、特許文献１のように、カーナビゲーション装置と連携した到着予想時刻表示等のための参照情報として利用することもできる。また、上記カーナビゲーション装置のように、当該表示ディスプレイ２１０以外の表示装置での出力を目的としたものであってもよい。
【００３１】
次に、警告表示のための割り込み指令、すなわち警告表示指令を受けた場合であるが、サブメニュー画面を含め、通常画面の表示状態であれば直ちに警告画面に遷移し、警告表示指令が解除されれば通常画面に遷移する。これらの画面遷移は、操作入力部ＳＷの入力状態とは無関係に自動的に実行される。一方、警告画面への遷移中に操作入力部ＳＷが短押し（警告表示解除指令）された場合は、通常画面に強制的に遷移させる処理となる。このとき、第一タイマーが起動され、該第一タイマーによる計時が警告復帰インターバルｔ１（例えば６秒）を満了すると、警告表示指令が継続中である場合に限り警告画面に復帰遷移させる処理がなされる。一方、変更入力画面の表示中はこの第一タイマーによる計時が停止し、警告画面への遷移が阻止される。従って、変更入力画面では、警告画面への復帰遷移により妨害されることなく、上記時刻合わせや日付合わせ等のためのユーザー入力を安心して行なうことができる。
【００３２】
図９は、この場合の画面遷移の流れを、従来の方式と比較して示すタイミングチャートである。サブメニュー画面を表示した状態で警告指令を受けると警告画面に遷移するが、その状態で操作入力部ＳＷを長押し（警告表示解除指令→変更入力画面遷移指令）すると、（サブメニュー画面を経た後）変更入力画面に移行する。例えば、Ｎ個の設定パラメータの変更入力確定するには、変更入力のために操作入力部ＳＷを操作している操作時間Ｔと、Ｎ回分の入力確定インターバルｔ２の合計、つまり、Ｔ＋Ｎ・ｔ２だけの実変更確定時間が必要である（図９では、この合算値を「ｔ２」として表しているが、これは１回分の入力確定インターバルを意味するのではない）。しかし、第一タイマーが計時する警告復帰インターバルｔ１が上記６秒前後の短時間であると、従来方式では、実変更確定時間（図９でｔ２と表示）が該警告復帰インターバルｔ１よりも長くなることのほうが多く、全ての変更入力が確定する前に警告画面に復帰してしまう問題を生じている。
【００３３】
しかし、本実施形態では、全ての変更入力が確定するまで第一タイマーがリセット継続し、変更入力が完了するまでは画面が変化しない。そして、最後の設定パラメータの入力確定が確定すると変更入力画面を自動脱出し、直前の通常画面であるサブメニュー画面に戻る。そして、変更入力画面の脱出に伴い、第一タイマーはリセット継続状態が解除され、再び計時を開始する。その結果、サブメニュー画面に戻ってから警告復帰インターバルｔ１が経過した後、警告画面に復帰している。
【００３４】
以上の機能は、本実施形態では以下のようなソフトウェア構成により実現している。
すなわち、表示出力制御手段をなす前述のソフトウェアが、操作入力部ＳＷの入力状態に基づいて表示ディスプレイ２１０への画面遷移指令及び設定変更処理を行なう表示指令モジュールと、その表示指令モジュールからの画面遷移指令を受けて表示ディスプレイ２１０の画面表示状態を通常画面と更入力画面との間で遷移させ、また、警告表示指令を受けた場合に警告画面に遷移させるとともに、表示指令モジュール側からの警告表示解除指令により通常画面に遷移した場合に第一タイマー（手段）が計時する警告復帰インターバルが満了するまでは警告画面への復帰を禁止し、満了後は許容する画面遷移制御モジュールとに分割して構成されている。
【００３５】
画面遷移制御モジュールは、次のような機能手段を実現するべく構成されている。
・通常画面遷移制御手段：画面遷移指令を受けて表示ディスプレイ２１０の画面表示状態を、通常時の情報を表示する通常画面と、表示ディスプレイ２１０の設定変更のための操作入力部ＳＷへのユーザー入力を受け付ける変更入力画面との間で切替え制御する。
・警告画面遷移制御手段：警告表示指令（図５のＥ１０２の割り込み指令である）を受けて表示ディスプレイ２１０の画面表示状態を警告画面に遷移させる。
・第一タイマー（手段）：表示指令モジュールからの警告表示解除指令を受けて計時起動する。該第一タイマーのカウンタメモリは図３のＲＡＭ２８３内に形成される。
・警告遷移制御手段：警告画面への遷移を第一タイマー手段が予め定められた警告復帰インターバル（図５：ｔ１）を計時満了するまでは禁止し、計時満了後は許容する。
【００３６】
また、表示指令モジュールは、次のような機能手段を実現するべく構成されている。
・変更入力画面遷移指令手段：通常画面の表示中において操作入力部ＳＷが予め定められた変更入力画面遷移指令操作状態となった場合（上記実施形態では、最下層のサブメニュー画面において所望の変更入力メニューを選択し、操作入力部ＳＷを長押した場合に相当する）に、画面遷移制御モジュールに変更入力画面への画面遷移指令を出力する。
・変更入力画面脱出指令手段：変更入力画面におけるユーザー入力が完了するに伴い、画面遷移制御モジュールに変更入力画面から脱出する画面遷移指令を出力する（図５：Ｅ１０９）。変更入力画面から脱出する画面遷移指令は、上記の実施形態では、変更入力画面に移行する直前の通常画面、すなわちサブメメニュー画面（Ｓ３２）に遷移する指令となっている。
【００３７】
・警告表示解除指令手段：警告画面の表示中において操作入力部ＳＷが予め定められた警告解除指令操作状態（上記実施形態では、図５にＥ１０３として示す短押し操作とされている）となった場合に、画面遷移制御モジュールに警告表示解除指令を出力する。
・第一タイマー計時制限指令手段：変更入力画面の表示中は、表示指令モジュールに対し第一タイマー（手段）の計時動作を制限する指令を行なう。具体的には、変更入力画面の表示中において第一タイマー（手段）に対し継続的にリセット指令を出力する（図５：Ｅ１０８）。このリセット指令出力は、変更入力画面からの脱出に伴い解除される（図５：Ｅ１０８）。すると、第一タイマーはこの時点で計時を再開するから、警告復帰インターバル（ｔ１）が満了するまでは警告画面への遷移が禁止される形となり、一旦上記直前の通常画面、すなわちサブメニュー画面（Ｓ３２）に遷移する。その後、警告復帰インターバル（ｔ１）が満了すれば警告画面への遷移が許容され、警告画面へ遷移する（図５：Ｅ１１０）。
【００３８】
・設定パラメータ変更手段：変更入力画面の表示中において操作入力部ＳＷが、設定変更の対象となる予め定められた設定パラメータに対する変更入力操作状態となった場合に、該設定パラメータの変更入力処理を行なう。
・第二タイマー（手段）：変更入力操作の途絶時間を計測する。該第二タイマーのカウンタメモリは図３のＲＡＭ２８３内に形成される。
・設定パラメータ確定手段：第二タイマー（手段）が計測する途絶時間が予め定められた入力確定インターバル（図５：ｔ２）に到達するに伴い設定パラメータの確定処理を行なう。
【００３９】
図６は、入力変更画面に遷移した状態における、操作入力部ＳＷの状態を監視する操作入力部制御モジュールと、表示指令モジュールと、画面遷移制御モジュールとの間での指令のやり取りを示すシーケンス図である。例えは、時刻合わせの場合を例にとると、時刻合わせの力変更画面に遷移後は、表示指令モジュールは操作入力部制御モジュールに対して操作状態の送信を要求し、操作入力部制御モジュールは現在の操作状態（ＯＮ又はＯＦＦ）を返す。表示指令モジュールはこれを受け、図５のＳ４１に示すように、操作入力部ＳＷへの押圧操作があれば、入力確定インターバル（ｔ２）を計時する第二タイマーをリセットし、「時」の桁の数値をインクリメントする（例えば、断続的な押圧であれば数値を押圧１回につき１ずつインクリメントさせ、連続的な押圧であれば押圧継続中は数値を連続的にインクリメントさせる：Ｅ１０４）。ユーザーは、所望の数値となったところで押圧解除する。そして、第二タイマーの計時内容が入力確定インターバル（ｔ２）を満了すれば「時」の桁が確定されるとともに（Ｅ１０５）、Ｓ４２に示すごとく、「分」の桁へ自動移行する。そして、「分」の桁においても、「時」の桁と同様に、入力／確定処理が同様に実施される（Ｅ１０６、Ｅ１０７）。
【００４０】
また、入力変更画面に遷移した後、最後の設定パラメータである「分」の桁が確定するまでは、画面遷移制御モジュールに対し常時ないし断続的に、警告復帰インターバル（ｔ１）を計時する第一タイマーのリセット要求を出力し続ける。他方、該「分」の桁の確定が終了すれば、変更入力画面から脱出する遷移要求を画面遷移制御モジュールに出力するとともに、第一タイマーのリセット要求を解除する。
【００４１】
時刻合わせの変更入力画面では、変更入力の対象となる設定パラメータが「時」と「分」の２つ存在し、入力確定インターバルの合計はｔ２×２となる。従って、誤って時刻合わせの変更入力画面に入ってしまった場合などは、ｔ２（例えば５秒）×２（＝例えば１０秒）だけ操作入力部ＳＷへ何も操作せずに放置することで、「時」と「分」の現在値をそのまま確定させて終了することができる。全く同様に、日付合わせの変更入力画面では、変更入力の対象となる設定パラメータが「年」、「月」及び「日」の３つ存在するから、ｔ２×３（＝例えば１５秒）だけ操作入力部ＳＷへ何も操作せずに放置することで、「年」、「月」及び「日」の現在値をそのまま確定させて終了することができる。そして、前述の警告復帰インターバル（ｔ１）は、上記の入力確定インターバルｔ２の合計値のどれよりも短い値（例えば、６秒）に設定されている。
【００４２】
図７は、表示指令モジュールの処理流れの一例を示すフローチャートである。自動車のイグニッションスイッチがＯＮになるとともに起動し、Ｓ２０１では、画面遷移制御モジュールに対してデフォルトの通常画面（例えば、平均燃費表示画面）の表示を要求する（Ｓ２０２はイグニッションスイッチＯＦＦ時の終了ステップである）。Ｓ２０３では、警告表示要求（警告表示指令）があるかどうかを確認する。警告表示要求がなければＳ２０４に進み、現在表示状態を確認する。通常画面であればＳ２０５に進み、変更・調整画面（変更切替受付画面）であるかどうかを確認する。変更・調整画面でなければＳ２０６に進み、操作入力部ＳＷの操作状態を取得し、操作があればＳ２０７に進み、面遷移制御モジュールに対して次の通常画面への遷移を要求してＳ２０２に返る。また、操作がなければＳ２０７をスキップしてＳ２０２に返る。
【００４３】
一方、Ｓ２０５で変更・調整画面だった場合はＳ２０８に進み、操作入力部ＳＷの操作状態を取得する。操作があればＳ２０９に進み、前述のサブメニュー選択のための長押し等、変更入力画面遷移指令操作状態が成立しているかどうかを判断する。成立していた場合はＳ２１０に進み、画面遷移制御モジュールに対して変更入力画面への遷移を要求してＳ２０２に返る。一方、変更入力画面遷移指令操作状態が成立しておらず、操作入力部ＳＷの短押し、すなわち単なる通常画面切替操作であった場合はＳ２０７に進んで次の通常画面への遷移要求処理を行なう。
【００４４】
次に、Ｓ２０４において現在表示状態が変更入力処理だった場合は、Ｓ２１２に進んで第二タイマー（ｔ２）の計時を開始するとともに、Ｓ２１５に進み操作入力部ＳＷの操作状態を取得する。操作入力部ＳＷの操作があればＳ２１７に進み、第二タイマー（ｔ２）をリセットした後、第二タイマーを再起動してＳ２１５に戻る。一方、Ｓ２１５で操作入力部ＳＷの操作がなければＳ２１８に進み、第二タイマーの計時値を調べる。前述の入力確定インターバルｔ２が満了していなければＳ２２１に進み、画面遷移制御モジュールに対して第一タイマー（ｔ１）のリセットを要求してＳ２１５に返る。変更入力操作を行なう場合も、変更入力画面の総表示期間において操作入力部ＳＷの無操作期間はかなりの部分を占めており、当該無操作期間においてはＳ２１５→Ｓ２１８→Ｓ２２１→Ｓ２１５のループが繰り返され、第一タイマーのリセット要求が継続される。従って、変更入力画面の表示中は第一タイマーによる警告復帰インターバルの計時が実質的に阻止される形となる。
【００４５】
一方、Ｓ２１８で入力確定インターバルｔ２が満了していればＳ２１９に進み、次の入力変更のための設定パラメータがあるかどうかを調べる。設定パラメータがあればＳ２２０に進み、次の設定パラメータを選択（カーソル移動）してＳ２１７に進む。ここで、第二タイマー（ｔ２）がリセットされ、Ｓ２１２に戻って第二タイマーを再起動し、該設定パラメータについてＳ２１５以下の同様の処理が繰り返される。
【００４６】
また、Ｓ２１９で次の入力変更のための設定パラメータがない場合はＳ２２２に進み、画面遷移制御モジュールに対して変更入力画面から脱出する遷移要求を行なって、Ｓ２０２に返る。この流れでは画面遷移制御モジュールに対する第一タイマーへリセット要求するステップが含まれておらず、画面遷移制御モジュールでは第一タイマーによる警告復帰インターバルの計時が再開される。
【００４７】
次に、Ｓ２０３で警告表示指令を受けている場合はＳ２１１に進み、現在表示状態を確認する。通常画面であれば何もせずにＳ２０２に返る。警告画面であればＳ２１３に進み、操作入力部ＳＷの操作状態を取得する。操作があればＳ２１４へ進み、画面遷移制御モジュールに対して警告表示の解除を指令してＳ２０２に返る。他方、操作がなければＳ２１４をスキップしてＳ２０２に返る。また、Ｓ２１１で変更入力画面だった場合はＳ２１５に進み、以下は既に説明した処理の流れとなる。
【００４８】
図８は、画面遷移制御モジュールの処理流れの一例を示すフローチャートである。これも自動車のイグニッションスイッチがＯＮになるとともに起動し、Ｓ３０１では、第一タイマーの初期化を行なう（Ｓ３０２はイグニッションスイッチＯＦＦ時の終了ステップである）。次に、Ｓ３０３では、警告表示要求があるかどうかを調べる（ここでは、警告表示指令は、表示指令モジュールと画面遷移制御モジュールとに分配入力されるようにしている。
【００４９】
Ｓ３０３で警告表示指令がある場合はＳ３１０に進み、警告画面に遷移させる。また、Ｓ３１１では、表示指令モジュールからの警告表示解除指令があるかどうかを調べる。警告表示解除指令がある場合は第一タイマー（ｔ１）を起動してＳ３１３に進み、通常画面への遷移を行なう（Ｓ３１１で警告表示解除指令がない場合はＳ３０２に戻る）。Ｓ３１４では変更入力画面への遷移要求があるかどうかを調べ、要求がない場合はＳ３１５に進んで第一タイマーの計時値が警告復帰インターバルｔ１を満了しているかどうかを調べる。
【００５０】
警告復帰インターバルｔ１が満了していない場合はＳ３１３へ戻り、通常画面の表示を継続する。他方、満了している場合はＳ３０１に戻る。このとき、Ｓ３０３で警告表示指令を依然受けていれば、以下はＳ３１０に進むから警告画面に復帰することとなる。
【００５１】
また、Ｓ３０３で警告表示指令がなければＳ３０４に進み、表示指令モジュールが指示する内容の通常画面表示を行ない、Ｓ３０５では、変更入力画面への遷移要求があるかどうかを調べる。
【００５２】
Ｓ３０５及びＳ３１４のいずれにおいても、変更入力画面への遷移要求がある場合はＳ３０６に進み、変更入力画面に遷移させる。Ｓ３０７では第一タイマーのリセット要求があるかどうかを調べ、リセット要求があればＳ３０８で第一タイマーをリセットする（リセット要求がなければＳ３０８をスキップする）。そして、Ｓ３０９では変更入力画面から脱出する遷移要求があるかどうかを調べる。ない場合はＳ３０６に返って変更入力画面の表示を継続する。また、該遷移要求がある場合はＳ３１２に進み、第一タイマーによる計時を開始して、Ｓ３１３以下の説明済みの処理流れとなる。
【００５３】
例えば、Ｓ３１０で警告画面を表示した状態で、操作入力部ＳＷが短押し（警告解除指令操作）されるに伴い、Ｓ３１３で表示指令モジュール側から警告表示解除指令を受けると、Ｓ３１２で第一タイマーが計時を開始するとともにＳ３１３で通常画面に遷移する。Ｓ３１５でそのまま第一タイマーが警告復帰インターバルｔ１を満了すればＳ３１０で警告画面に復帰遷移するが、Ｓ３１４で変更入力画面への遷移要求があると、第一タイマーが起動した状態にてＳ３０６へ移行し、変更入力画面が表示される。しかし、前述のごとく、変更入力画面への遷移後において遷移指令モジュールは、操作入力部ＳＷが無操作となる期間においてＳ２１５→Ｓ２１８→Ｓ２２１→Ｓ２１５のループが反復され、第一タイマーのリセット要求が継続される。画面遷移制御モジュールはＳ３０７にてこれを受け、起動済みの第一タイマーをＳ３０８でリセットする形となる。このリセットは、Ｓ３０９で変更入力画面から脱出するまで継続されるので、結局、変更入力画面の遷移中は第一タイマーが警告復帰インターバルｔ１を満了することがない。従って、警告画面への復帰遷移が阻止され、ユーザーは変更入力操作をスムーズに継続できる。そして、Ｓ３１４のステップにより、Ｓ３０６以下の変更入力時処理とＳ３１１以下の警告解除時処理とが完全に分離されることで、警告復帰インターバルｔ１が比較的短く設定されていても、前者の変更入力時処理では第一タイマーが事実上停止するため十分な変更入力時間を確保でき、後者の警告解除時処理では該短い警告復帰インターバルｔ１により速やかに通常画面に復帰できる。
【図面の簡単な説明】
【００５４】
【図１】本発明の車両用情報表示システムを組み込んだ車両用メーターの一例を示す正面図。
【図２】表示ディスプレイの画面遷移例を示す説明図。
【図３】図１の車両用情報表示システムの電気的構成の一例を示すブロック図。
【図４】画面遷移の処理流れの概略を示すフローチャート。
【図５】画面遷移の実例を、内部処理と関連付けて示す動作説明図。
【図６】表示指令モジュールと画面遷移制御モジュールとの間の指令系統を示すシーケンス図。
【図７】表示指令モジュールの流れを示すフローチャート。
【図８】画面遷移制御モジュールの流れを示すフローチャート。
【図９】本発明の車両用情報表示システムの警告画面遷移時における効果を、従来技術と比較して示すタイミングチャート。
【符号の説明】
【００５５】
ＳＷ  操作入力部
２００  車両用情報表示システム
２１０  表示ディスプレイ
２８１  ＣＰＵ（表示出力制御手段）
【図１】
2010013060.tif 000003
【図２】
2010013060.tif 000004
【図３】
2010013060.tif 000005
【図４】
2010013060.tif 000006
【図５】
2010013060.tif 000007
【図６】
2010013060.tif 000008
【図７】
2010013060.tif 000009
【図８】
2010013060.tif 000010
【図９】
2010013060.tif 000011